(57)【要約】【課題】鍵ケースに対する化粧カバーの移動に制限を与えることにより、鍵ケースとドアの鍵挿入孔間の隙間を利用した不正解錠を防止可能とする。【解決手段】鍵ケースとケース内に回動自在に挿装されたローターとローターにおけるタンブラー挿入孔内に挿抜可能に挿装されたタンブラーと鍵ケースの外周側に装着された化粧カバーとを具備したシリンダー錠において、鍵ケース２の外周任意の箇所にケース側螺合部２０３を形成するとともに化粧カバー８の内周任意の箇所にカバー側螺合部８０１を形成し鍵ケース２と化粧カバー８を螺合可能し、鍵ケース２に対する化粧カバー８の回動を一方向へは許容して他方向へは阻止可能なように、鍵ケース２の外周側任意の箇所において鍵ケース２の内周側に後退可能に係止部３を突設するとともに係止部３が係止可能な係止溝８０２を化粧カバー８の内周側に備えた。【選択図】              図１
2004169269.tif 000002
【特許請求の範囲】
【請求項１】
鍵ケースと、
該ケース内に回動自在に挿装された、軸方向に形成された鍵孔と該鍵孔に交差するように形成された複数個のタンブラー挿入孔とを備えるローターと、
該ローターにおける前記タンブラー挿入孔内に挿抜可能に挿装されたタンブラーと、
前記鍵ケースの外周側に装着された化粧カバーと、を具備したシリンダー錠において、
鍵ケース（２）の外周任意の箇所にケース側螺合部（２０３）を形成するとともに、化粧カバー（８）の内周任意の箇所にカバー側螺合部（８０１）を形成して、前記鍵ケース（２）に対して前記化粧カバー（８）を螺合可能にするとともに、
前記鍵ケース（２）に対する前記化粧カバー（８）の回動を一方向へは許容して他方向へは阻止可能なように、前記鍵ケース（２）の外周側任意の箇所において前記鍵ケース（２）の内周側に後退可能なように係止部（３）を突設するとともに、前記係止部（３）が係止可能な係止溝（８０２）を前記化粧カバー（８）の内周側に備えた、ことを特徴とするシリンダー錠における化粧カバーの取り付け構造。
【請求項２】
前記タンブラーが板タンブラーであることを特徴とする請求項１に記載のシリンダー錠における化粧カバーの取り付け構造。
【請求項３】
前記タンブラーがピンタンブラーであることを特徴とする請求項１に記載のシリンダー錠における化粧カバーの取り付け構造。
【発明の詳細な説明】
【０００１】
【発明の属する技術分野】
本発明は、シリンダー錠における化粧カバーの取り付け構造に係り、より詳しくは、シリンダー錠を構成する鍵ケースに対して化粧カバーを螺合可能にするとともに、鍵ケースに対する化粧カバーの回動を一方向へは許容して他方向へは阻止可能なように、前記鍵ケースの外周側任意の箇所において前記鍵ケースの内周側に後退可能なように係止部を突設するとともに、前記係止部が係止可能な係止溝を前記化粧カバーの内周側に備え、これにより、鍵ケースに対する化粧カバーの回動に制限を加えたことを特徴とするシリンダー錠における化粧カバーの取り付け構造に関する。
【０００２】
【従来の技術】
従来から、建造物等におけるドアの鍵等にはシリンダー錠が用いられることが多いが、このシリンダー錠は一般的に、図８に示すように構成されている。
【０００３】
即ち、図８は従来から一般的に用いられているシリンダー錠３１の構造を軸方向に沿って示した断面図であり、図において３１がシリンダー錠である。
【０００４】
そして、この従来から用いられているシリンダー錠３１は、鍵ケース３２を備えており、この鍵ケース３２の内部には、略円筒形状のローター３４が、回動自在に挿装されている。
【０００５】
一方、ローター３４は、図１１の分解図で示すように、使用に際して鍵本体等に連結されるジョイント部３４０２がその先端部に形成されており、このジョイント部３４０２が前記鍵ケース３２を貫通する形態で前記鍵ケース３２内に回動自在に挿装されている。
【０００６】
また、前記ローター３４には、前記ジョイント部３４０２に対抗する側から軸方向に向けて細長形状の鍵孔３４０１が形成されているとともに、この鍵孔３４０１に直交する方向に向けて、複数個のタンブラー挿入孔３４０３が所定間隔で形成されている。
【０００７】
そして、タンブラー挿入孔３４０３内にはそれぞれ、板状のタンブラー３５が挿入されているとともに、このタンブラー３５は、スプリング３６により、ローター３４の外周から突出する方向に付勢されている。
【０００８】
ここで、図１２はタンブラー挿入孔３４０３内にタンブラー３５を挿入した状態におけるタンブラー挿入孔３４０３部分をローター３４の軸方向から示した断面図であり、図において、タンブラー３５の一方の側辺には段差部３５０１が形成されているとともに、他方の側辺には凸部３５０２が形成されている。
【０００９】
一方、前記タンブラー挿入孔３４０３内には、係止部３４０４が形成されるとともに、この係止部３４０４に対抗する側には案内溝３４０５が形成され、前記タンブラー３５は、前記段差部３５０１と前記係止部３４０４との間に装着されたスプリング３６によってローター３４の外周から突出する方向に付勢されるとともに、その移動は前記案内溝３４０５に凸部３５０２に案内される範囲に規制されている。
【００１０】
また、このタンブラー３５には、鍵板３７が貫通する窓部３５０３が形成されているとともに、図８からも明らかなように、各タンブラー３５における窓部３５０３は、その下端位置がすべては一致しないように形成され、これにより、すべてのタンブラー３５をタンブラー挿入孔３４０３内に退避させた場合に窓部の下端部が波型になるようにしている。
【００１１】
一方、前記鍵ケース３２の内周には、軸方向に沿って一対の係合溝３２０１が対向するように形成されており、タンブラー３５がローター３４より突出している状態ではタンブラー３５の先端部が係合溝３２０１に係合し、これによりローター３４の回転を阻止して施錠あるいは解錠を不可能する。
【００１２】
そして、タンブラー３５のすべてがローター３４内に退避された状態における前記窓部３５０３の下端部に整合可能な切欠部３７０１を備えた鍵板３７をローター３４における鍵孔３４０１内に挿入すると、すべてのタンブラー３５がローター３４内に退避するとともに、タンブラー３５の先端部と係合溝３２０１との係合が解除され、これによりローター３４が回転可能となり、この状態で鍵板３７を回転させるとローター３４も回転し、これにより施錠あるいは解錠を行うことが可能となる。
【００１３】
なお、ピンタンブラーを用いたシリンダー錠も作動原理としてはほぼ同様であり、即ち、図１０に示すように、ピンタンブラーを用いたシリンダー錠においては、鍵ケース５２内に円柱状のローター５１が回動自在に収納されるとともに、ローター５１に形成したタンブラー挿入孔５５内に長さの異なるピンタンブラー５６が移動自在に挿入されている。そして、鍵ケース５２にはそれぞれ、ローター５１のタンブラー挿入孔に整合する位置にドライバーピン挿入孔５７が軸方向に直角に貫通して形成され、各挿入孔５７に円柱状のドライバーピン５８が挿入されているとともに、各ドライバーピン５８は、スプリング６０によりピンタンブラー５６に押圧されている。
【００１４】
そしてこのような構成において、鍵板５４が鍵孔５３に挿入されていない状態ではドライバーピン５８がスプリング６０に押されてローター５１のタンブラー挿入孔５５に挿入されており、これによりローター５１の回動が不能となる。そして、鍵孔５３に鍵板４３を挿入すると、ピンタンブラー５６が押し上げられることによりドライバーピン５８が鍵ケース５２側に退避し、これによりローター５１の回動を可能にしている。
【００１５】
【発明が解決しようとする課題】
次に、図８において３３は化粧カバーであり、この化粧カバー３３は、カム送り等の不正解錠を防止するために用いられる。
【００１６】
即ち、シリンダー錠は一般的に、図８に示すようにドア７１に形成された挿入孔７２内に挿装されるが、このとき、ドア７１に挿装されるシリンダー錠３１は一種類に限定されるものではないために、各種のシリンダー錠に対応可能なように、また、ドアへの装着作業の効率化のために、挿入孔７２は大きめの孔とされている。
【００１７】
そのため、何らの手当てをしない場合には、シリンダー錠の周囲に形成される隙間７３が露出してしまい、この隙間７３を利用した、カム送り等の不正解錠を可能にしてしまう。そこで、シリンダー錠では一般的に、鍵ケースの外周側に化粧カバー３３を装着して、これによりシリンダー錠周囲の隙間７３を覆い隠しドアに取り付けられている。
【００１８】
そしてこのとき、ドアの厚みはドアにより異なるために、このドア厚に対応させるために、化粧カバーと鍵ケースとの間にスプリングを介在させて、これにより、鍵ケースに対して化粧カバーを移動自在としている。
【００１９】
即ち、図８において、化粧カバー３３と鍵ケース３２間にはスプリング３８が介在されており、このスプリング３８により、化粧カバー３３は、鍵板の挿入側へ移動自在なように、ドア７１側へ付勢されている。そしてこれにより、ドア厚が変わった場合でも、化粧カバー３３の下端部をドア面に当接可能とさせて、シリンダー錠の周囲の隙間を覆い隠すことを可能としている。
【００２０】
しかしながら、このように化粧カバーを移動自在にしている構成では、化粧カバー３３を鍵板挿入側に移動させた場合には、シリンダー錠３１の周囲の隙間７３が露出してしまい、これによりカム送り等の不正解錠を可能にしてしまう。
【００２１】
一方、このような問題点を解決するための方法として、図９に示すように、鍵ケース４２と化粧カバー４３とを螺合させる方法も提案されており、この方法によると、鍵ケース４２の外周側に螺合部４２０２を形成するとともに、化粧カバー４３の下端内周部にも螺合部４３０１を形成して、化粧カバー４３を回動させて鍵ケース４２に螺合させる構成としている。そしてこのようなシリンダー錠では、化粧カバー４３を鍵ケース４２に螺合させるとともに、ネジ等により、鍵ケース４２を、ドア７１の内部においてドア７１側に引っ張りながら装着するために化粧カバー４３を容易に回動させることが不可能となるが、かかる場合でも、ペンチ等の工具を用いて化粧カバーを強引に回した場合にはドアの鍵挿入孔と鍵ケースとの間の隙間が露出してしまう。
【００２２】
そこで、本発明は、鍵ケースに対する化粧カバーの移動に制限を与えることにより、鍵ケースとドアの鍵挿入孔間の隙間を利用した不正解錠を防止可能とするシリンダー錠における化粧カバーの取り付け構造を提供することを課題としている。
【００２３】
【課題を解決するための手段】
本発明のシリンダー錠における化粧カバーの取り付け構造では、鍵ケースと、該ケース内に回動自在に挿装された、軸方向に形成された鍵孔と該鍵孔に交差するように形成された複数個のタンブラー挿入孔とを備えるローターと、該ローターにおける前記タンブラー挿入孔内に挿抜可能に挿装されたタンブラーと、前記鍵ケースの外周側に装着された化粧カバーと、を具備したシリンダー錠において、
鍵ケースの外周任意の箇所にケース側螺合部を形成するとともに、化粧カバーの内周任意の箇所にカバー側螺合部を形成して、鍵ケースに対して化粧カバーを螺合可能にするとともに、
前記鍵ケースに対する化粧カバーの回動を一方向へは許容して他方向へは阻止可能なように、前記鍵ケースの外周側任意の箇所において前記鍵ケースの内周側に後退可能なように係止部を突設するとともに、前記係止部が係止可能な係止溝を前記化粧カバーの内周側に備えた、ことを特徴としている。
【００２４】
本発明では、鍵ケースに対して化粧カバーを螺合させる構成にするとともに、鍵ケースに対する化粧カバーの回動を一方向へは許容して他方向へは阻止可能なように、鍵ケースの外周側任意の箇所において鍵ケースの内周側に後退可能なように係止部を突設するとともに前記係止部が係止可能な係止溝を前記化粧カバーの内周側に備えている。
【００２５】
そのため、化粧カバーが鍵板挿入側へ移動することを阻止可能なように、化粧カバーに係止溝を形成するとともに鍵ケースに係止部を装着することで、シリンダー周囲の隙間を露出させて行なうカム送り等の不正解錠を防止することが可能である。
【００２６】
【実施例】
本発明の実施例について図面を参照して説明すると、図１は、本実施例のシリンダー錠における化粧カバーの取り付け構造を採用したシリンダー錠（以下「本実施例のシリンダー錠」という。）の構造を軸方向に沿って示した略断面図であり、図において１が本実施例のシリンダー錠である。
【００２７】
そして、図において２は鍵ケースであり、この鍵ケース２は、軸方向に形成された貫通孔２０１を有する略円筒形状としており、その内周面には、一対の係合溝２０２が対向して形成されている。また、その内部には、前記貫通孔２０１を貫通する形態で、ローター３４が回動自在に挿装されており、更に、その先端側にはフロントキャップ９が装着されている。
【００２８】
また、図２に示すように、前記鍵ケース２の外周側には、鍵板挿入側の近傍においてネジきりがされ、この部分がケース側螺合部２０３とされている。
【００２９】
そして、このケース側螺合部２０３に連続するようにして、このケース側螺合部２０３のドア装着側には係止部３が装着されており、その装着に際しては、係止部の先端部分が、鍵ケース２の外周側に突出するとともに鍵ケース２の内周側に後退可能なようにしている。
【００３０】
ここで、図３は前記係止部３を示す斜視図であり、本実施例における前記係止部３では、湾曲させた板状の基台部４を有するとともに、この基台部４には、基台部４の面と略直交する上方へ向けて爪５が連設されている。
【００３１】
そして、前記爪５の幅は、前記基台部４の幅の約半分程度にしており、これにより、前記基台部４には、長手方向に沿って顎部４０１を形成している。
【００３２】
更に、前記爪５は、前記基台部４から上方へ連設された係止爪部５０１と、この係止爪部５０１の上端と前記基台部４の任意の箇所を連通する傾斜部５０２とを有しており、これにより、前記係止部３は、その正面形状を略Ｌ字形状としている。
【００３３】
一方、前記鍵ケース２内には、この係止部３が挿入される挿入溝６が形成されている。この挿入溝６について説明すると、図４及び図５は、前記係止部３が装着される部分近傍における鍵ケース２の断面構造を示した図であり、図４は鍵ケース２の長手方向に向かった断面構造を示し、また図５は鍵ケース２の長手方向に沿った断面構造を示しており、図において６が、前記挿入溝である。
【００３４】
そして、本実施例においてこの挿入溝６は、縦溝部６０１と、この縦溝部６０１の底部から横方向へ延長された横溝部６０２とにより構成されており、鍵ケース２の長手方向に沿った断面形状を略Ｌ字状にしている。そして、前記係止部３は、前記爪５が縦溝部６０１内を移動可能な配置で、挿入溝６内に前記係止部３が挿入されている。
【００３５】
また、挿入溝６の底部と前記係止部３における基台４の底面との間にスプリング７を介在させて、このスプリング７により、係止部３を鍵ケース２の外周側に付勢し、これにより、係止部３における爪５を挿入溝６から突出させるとともに、爪５を鍵ケース２側へ押圧することにより、爪５を挿入溝６側へ後退可能としている。
【００３６】
なお、本実施例において前記挿入溝６には、鍵ケース２の長手方向に向かった両端部近傍に逃げ部６０３を形成し、これにより爪５の鍵ケース２側への後退を容易にしている。
【００３７】
また、前述したように、本実施例においては、係止部３における基台４には顎部４０１が形成されており、挿入溝６内に係止部３を挿入した状態では、この顎部４０１が横溝部６０２内に位置するため、横溝部６０２の上壁が障害となって顎部４０２は鍵ケース２から突出することがなく、その結果、係止部３を挿入溝６内に保持することが可能である。
【００３８】
次に、図１において８は化粧カバーであり、本実施例において前記化粧カバー８は、傘状にするとともに、前記鍵ケース２を貫通可能な貫通孔８０３を有しており、これにより、前記鍵ケース２における先端部近傍に嵌装可能としている。
【００３９】
この化粧カバー８について詳細に説明すると、図６は前記化粧カバー８の斜視図であり、また図７は図６におけるＡ−Ａ線断面図であり、本実施例において、化粧カバー８の内周側任意の箇所にはネジきりが施され、この部分がカバー側螺合部８０１とされている。そしてこれにより、化粧カバー８を、前記鍵ケース２のケース側螺合部２０３に螺合させて鍵ケース２に装着可能としている。
【００４０】
更に、化粧カバー８の内周側任意の箇所には、内周全域に亘って、前記爪５が係止される係止溝８０２が、軸方向に沿って形成されている。そして、本実施例においてこの係止溝８０２は、前記係止爪部５０１が係止可能な形状としており、これにより、化粧カバー３を鍵ケース２に装着して係止爪部５０１を係止した後には、鍵ケース２に対する化粧カバー３の回動を、一方方向へはこれを許容して、他方向へはこれを阻止可能にしている。
【００４１】
この関係を図４により説明すると、鍵ケース２に化粧カバー８を螺合させた状態において、化粧カバー８を時計回りに回動させる場合には、係止爪部５０１が係止溝８０２に時計周り方向に押圧されるが、このとき、係止部８は挿入溝６内に挿入されており鍵ケース２に円周方向への移動は不可能なため、その結果として、化粧カバー８を回動させることは不可能となる。
【００４２】
一方、化粧カバー８を反時計回り方向へ回動させる場合には、係止爪部５０１は、係止溝８０２により押圧されながら挿入溝６内に後退し（矢印方向）、これにより化粧カバー８の回動が可能となる。
【００４３】
このように、本実施例によれば、鍵ケース２に対する化粧カバー８の回動は、一方向へは許容され、他方向へは阻止されるため、鍵ケース２に対して化粧カバー８を取り外す方向の回動を阻止可能なように、化粧カバー３に係止溝８０２を形成するとともに鍵ケース２に係止部３を装着することで、化粧カバー３の装着は可能である一方、爪５を鍵ケース２側へ後退させない限り化粧カバー３の取り外しは不可能にすることが可能であり、これによりカム送り等の不正解錠を防止することができる。
【００４４】
なお、本発明は鍵ケース２に対する化粧カバー８の取り付け構造を特徴としており、鍵ケース２内に挿装されるローター３４に関しては、前述した従来から用いられているシリンダー錠と同様である。従って、ローター３４に関する説明は省略するとともに、図１においては、前述の従来から用いられているシリンダー錠におけるローターと同様の構成部分には、同様の符号を付した。従って、本発明は、板タンブラーを用いたシリンダー錠のみならず、ピンタンブラーを用いたシリンダーに採用してもよい。
【００４５】
次に、本実施例の作用について説明すると、本実施例を採用したシリンダー錠をドアに装着する際には、シリンダー錠をドアに形成された挿入孔内に挿入するとともに、これをドア内部に装着した鍵本体に連結する。そしてその後、ドアの厚みに応じて、化粧カバー３を、そのドア側の端部とドア面とが当接するように、鍵ケース２に装着する方向に回動させていく。そうすると、化粧カバー３により、シリンダー錠の周囲に形成される隙間が覆い隠され、この隙間を利用した不正解錠を防止することが可能となる。
【００４６】
そしてこのとき、本実施例では、前記鍵ケースに対する化粧カバーの回動を、一方向へは許容して他方向へは阻止可能なように、前記鍵ケースの外周側任意の箇所において前記鍵ケースの内周側に後退可能なように係止部を突設するとともに、前記係止部が係止可能な係止溝を前記化粧カバーの内周側に備えているために、鍵ケース２に対して化粧カバー８を取り外す方向の回動を阻止可能なようにすることで、爪５を鍵ケース２側へ後退させない限り化粧カバー３の取り外しを不可能にし、不正解錠を防止することができる。
【００４７】
なお、本発明においては、鍵ケースに対する化粧カバーの回動を一方向へは許容して他方向へは阻止可能であればよく、係止部の形状等は特に限定はされるものではない。
【００４８】
【発明の効果】
本考案のシリンダー錠における化粧カバーの取り付け構造は以上説明した形態で実施され、以下に記載するような効果を奏する。
【００４９】
本発明のシリンダー錠における化粧カバーの取り付け構造では、鍵ケースと、該ケース内に回動自在に挿装された、軸方向に形成された鍵孔と該鍵孔に交差するように形成された複数個のタンブラー挿入孔とを備えるローターと、該ローターにおける前記タンブラー挿入孔内に挿抜可能に挿装されたタンブラーと、前記鍵ケースの外周側に装着された化粧カバーと、を具備したシリンダー錠において、鍵ケースの外周任意の箇所にケース側螺合部を形成するとともに、化粧カバーの内周任意の箇所にカバー側螺合部を形成して、鍵ケースに対して化粧カバーを螺合可能にするとともに、前記鍵ケースに対する化粧カバーの回動を一方向へは許容して他方向へは阻止可能なように、前記鍵ケースの外周側任意の箇所において前記鍵ケースの内周側に後退可能なように係止部を装着するとともに、前記係止部が係止可能な係止溝を前記化粧カバーの内周側に備えたことを特徴としている。
【００５０】
このように、本発明では、鍵ケースに対して化粧カバーを螺合させる構成にするとともに、鍵ケースに対する化粧カバーの回動を一方向へは許容して他方向へは阻止可能なように、鍵ケースの外周側任意の箇所において鍵ケースの内周側に後退可能なように係止部を突設するとともに前記係止部が係止可能な係止溝を前記化粧カバーの内周側に備えているため、化粧カバーが鍵板挿入側へ移動することを阻止可能なように、化粧カバーに係止溝を形成するとともに鍵ケースに係止部を装着することで、シリンダー周囲の隙間を露出させて行なうカム送り等の不正解錠を防止することが可能である。
【図面の簡単な説明】
【図１】本発明の実施例を採用したシリンダー錠の軸方向に沿った構造を示す概略断面図である。
【図２】本発明の実施例を採用したシリンダー錠における鍵ケースを説明するための斜視図である。
【図３】本発明の実施例を採用したシリンダー錠における係止部を説明するための斜視図である。
【図４】本発明の実施例を採用したシリンダー錠における鍵ケースに形成した挿入溝を説明するための部分断面図である。
【図５】本発明の実施例を採用したシリンダー錠における鍵ケースに形成した挿入溝を説明するための部分断面図である。
【図６】本発明の実施例を採用したシリンダー錠における化粧カバーを示す斜視図である。
【図７】図６におけるＡ−Ａ線断面図である。
【図８】板タンブラーを用いた従来のシリンダー錠を説明するための断面図である。
【図９】鍵ケースに対して化粧カバーを螺合させる構造としたシリンダー錠を説明するための断面図である。
【図１０】ピンタンブラーを用いた従来のシリンダー錠を説明するための断面図である。
【図１１】板タンブラーを用いた従来のシリンダー錠におけるローター及びタンブラーを説明するための分解図である。
【図１２】板タンブラーを用いた従来のシリンダー錠におけるローター及びタンブラーを説明するための分解図である。
【符号の説明】
１    シリンダー錠
２    鍵ケース
２０１    貫通孔
２０２    係合溝
２０３    ケース側螺合部
３    係止部
４    基台部
４０１    顎部
５    爪
５０１    係止爪部
５０２    傾斜部
６    挿入溝
６０１    縦溝部
６０２    横溝部
６０３    逃げ部
７    スプリング
８    化粧カバー
８０１    カバー側螺合部
８０２    係止溝
９    フロントキャップ
【図１】
2004169269.tif 000003
【図２】
2004169269.tif 000004
【図３】
2004169269.tif 000005
【図４】
2004169269.tif 000006
【図５】
2004169269.tif 000007
【図６】
2004169269.tif 000008
【図７】
2004169269.tif 000009
【図８】
2004169269.tif 000010
【図９】
2004169269.tif 000011
【図１０】
2004169269.tif 000012
【図１１】
2004169269.tif 000013
【図１２】
2004169269.tif 000014